【事件の表示】
　上記当事者間の特許第２０３７７６７号発明「遊技設備」の特許無効審判事件について、次のとおり審決する。
【結論】
　特許第２０３７７６７号発明の特許を無効とする。
　審判費用は、被請求人の負担とする。
【理由】
１．本件発明
　本件特許第２０３７７６７号発明（以下「本件発明」という。）は、昭和５８年１１月１５日出願の特願昭５８−２１５６５６号の一部を平成３年２月１２日に特許法第４４条第１項の規定に基づき分割して新たな特許出願として出願された平成３年特許願第１８６６５号の一部を、更に平成５年５月１０日に特許法第４４条第１項の規定に基づき分割して新たな特許出願として出願され、平成７年８月９日に特公平７−７４０５５号として出願公告され、平成８年３月２８日に特許の設定登録がなされたものであって、その発明の要旨は、願書に添付した明細書（以下「本件特許明細書」という。）及び図面の記載からみて、特許請求の範囲第１項に記載された次のとおりのものと認める。
「複数の遊技台（Ａ）を横方向に並設して構成される遊技台列が設けられている遊技島に、可撓性を備えた薄板状体（ａ）を当該遊技島前面側から受け入れて識別し、かつ、識別した薄板状体（ａ）をその薄板面が送り出し方向に沿う一定姿勢で送り出す複数の遊技用貸機（Ｂ）が設けられているとともに、前記遊技用貸機（Ｂ）の各々から送り出される薄板状体（ａ）をその薄板面が搬送方向に沿う一定姿勢に規制して前記遊技台列に沿って合流搬送する搬送装置（Ｄ）と、前記遊技用貸機（Ｂ）から送り出される薄板状体（ａ）を屈曲させて、当該薄板状体（ａ）の移動方向を前記搬送装置（Ｄ）の搬送路に沿う方向に変更する案内部（６）とが設けられている遊技設備。」
２．請求の理由の概要
　これに対し、審判請求人・株式会社エース電研は、甲第１号証（実公昭５６−３０９４３号公報）、甲第２号証（特開昭５６−９５０７９号公報）、甲第３号証（特開昭５３−３３９９号公報）、甲第４号証（実公昭５８−６８２３号公報）を提出し、本件発明はこれらの刊行物に記載された発明に基づき容易に発明をすることができたものであり、本件特許は特許法第２９条第２項の規定に違反してなされたものであり、無効とされるべきものであるとの主張をしている。
３．甲各号証
　甲第１〜４号証刊行物には、以下の事項が記載されている。
（１）甲第１号証刊行物
　▲１▼複数のパチンコ機１が横方向に並設して構成されるパチンコ機列の２列が背中合わせに配設され、パチンコ機列の各々に、硬貨をパチンコ機列の前面側から受け入れて、投入された硬貨を判別して所定数の打球を交付した後、硬貨を倒さない姿勢でパチンコ機列の背面側に送り出す複数の自動玉売機２がパチンコ機列に沿う方向で設けられていること。
　▲２▼硬貨は、自動玉売機から導出樋５で導出され、倒れない姿勢でパチンコ機列背面側の集合路６に落下し、集合路上を回収タンクまで転動して回収されること。
（２）甲第２号証刊行物
　▲１▼複数のパチンコ機１を横方向に並設してなるパチンコ機列に、硬貨を上下方向に沿う姿勢でパチンコ機列の前面側の縦長の硬貨投入口４８から受け入れて正規の硬貨かどうかを選別機４７により選別し、取込樋４９を通じてパチンコ機列の背面側に送り出す複数の賞ボール貸機２２がパチンコ機の並設方向に設けられていること。
　▲２▼賞ボール貸機の各々から送り出される硬貨を、方向変更して水平な載置面を有するベルトコンベア５６上に載せ（第１、２図を参照）、パチンコ機の並設方向に沿ってキャッシュボックスまで合流搬送する搬送装置５０がパチンコ機列の背面側に設けられていること。
　▲３▼賞ボール貸機として、硬貨を使用することに代え又はこれとともに紙幣を使用し得るようにしてもよいこと。
（３）甲第３号証刊行物
　パチンコ島１において、パチンコ台の相互間に自動玉貸機が配置され、自動玉貸機は、紙幣をその紙面が上下方向に沿う姿勢で前面側から受け入れて検定し、検定した紙幣を自動玉貸機内に設置した金庫に送出し収納すること。
（４）甲第４号証刊行物
　▲１▼紙幣払出し機等に使用される搬送装置において、ケース２に装入され弾圧板５で弾圧された紙幣は、吸着頭６により紙幣の方向を変えた上で（第１図を参照）、送出しローラーＡ１，Ａ２間に送給され、さらにガイドＧ，Ｇ間に送入されて搬送体Ｂ３により、搬送体Ｂ２とＢ３の接触部に送り込まれ、ベルト形式の搬送体Ｂ１，Ｂ２の間に弾性的に挾まれて合流し、上方に搬送され払出台８上に送出されること。
　▲２▼搬送体Ｂ１，Ｂ２への合流部へ、紙幣は屈曲されて案内されること。
４．当審の判断
　甲第２号証記載のものにおいて、硬貨を使用することに代え、紙幣を使用するようにした場合を考えると、硬貨投入口４８は紙幣投入口となり、紙幣は取込樋４９を滑り落ちるかあるいは何らかの搬送手段により搬送されることにより、パチンコ機１の背面側（すなわち、賞ボール貸機の背面側）に送り出し方向に沿った姿勢で送り出されることになり、紙幣はパチンコ機１の背面側に送り出される途中において選別機４７により正規の紙幣かどうか識別され、パチンコ機１の背面側に送り出される紙幣は、方向変更され水平な載置面を有するベルトコンベア５６上に載置されて搬送され、ベルトコンベア５６は搬送装置ということができ、パチンコ機は遊戯設備ということができるから、甲第２号証には、複数のパチンコ機１を横方向に並設してなるパチンコ機列に、紙幣をパチンコ機列の前面側の紙幣投入口から受け入れて正規の紙幣かどうかを選別機により識別し、かつ、識別した紙幣をパチンコ機１の背面側に送り出し方向に沿った姿勢で送り出す複数の賞ボール貸機が設けられているとともに、前記賞ボール貸機の各々から送り出される紙幣を前記パチンコ機列に沿って合流搬送する搬送装置と、パチンコ機の背面側に送り出される紙幣をパチンコ機列の背面側に設けられている搬送装置に合流搬送させるために紙幣を方向変更する手段、が記載されているといえる。
　そして、本件発明と甲第２号証刊行物に記載の発明とを比較すると、甲第２号証刊行物に記載のパチンコ機、賞ボール貸機、紙幣及びベルトコンベア５６は、本件発明の遊技台、遊技用貸機、可撓性を備えた薄板状体及び搬送装置にそれぞれ相当し、遊技台列が設けられている遊技島に薄板状体を当該遊技島前面側から受け入れることは、遊技台列に薄板状体を遊技台列前面側から受け入れることでもある（すなわち、遊技島であろうが遊技台列であろうが、具体的に薄板状体を受け入れるのは、遊技台の紙幣投入口である）から、両者は、「複数の遊技台を横方向に並設して構成される遊技台列に、可撓性を備えた薄板状体を当該遊技台列前面側から受け入れて識別し、かつ、識別した薄板状体を送り出す複数の遊技用貸機が設けられているとともに、前記遊技用貸機の各々から送り出される薄板状体を前記遊技台列に沿って合流搬送する搬送装置が設けられている遊技設備。」の点で一致し、下記の点（イ）〜（ロ）で相違する。
（イ）本件発明は、遊技台列が設けられている遊技島に、可撓性を備えた薄板状体を当該遊技島前面側から受け入れているのに対し、甲第２号証刊行物に記載の発明は、遊技台列（甲第２号証刊行物にあっては、パチンコ機列）に、可撓性を備えた薄板状体（甲第２号証刊行物にあっては、紙幣）を当該遊技台列前面側から受け入れている点。
（ロ）本件発明は、識別した薄板状体をその薄板面が送り出し方向に沿う一定姿勢で送り出すとともに、前記送り出される薄板状体をその薄板面が搬送方向に沿う一定姿勢に規制して遊技台列に沿って合流搬送する搬送装置と、前記送り出される薄板状体を屈曲させて、当該薄板状体の移動方向を前記搬送装置の搬送路に沿う方向に変更する案内部とが設けられているのに対し、甲第２号証刊行物に記載の発明は、識別した紙幣をパチンコ機１の背面側に送り出し方向に沿った姿勢で送り出すとともに、前記送り出される紙幣をパチンコ機列に沿って合流搬送する搬送装置と、パチンコ機の背面側に送り出される紙幣をパチンコ機列の背面側に設けられている搬送装置に合流搬送させるために紙幣を方向変更する手段とが設けられている点。
　まず、相違点（イ）について検討する。
　複数の遊技台を横方向に並設して構成される遊技台列を遊技島あるいはパチンコ島とすることは当該技術分野においては従来周知・慣用（例えば、甲第３号証刊行物の「パチンコ島１において」の記載等参照。）であるから、甲第２号証刊行物のパチンコ機列を遊技島とし、薄板状体（紙幣）を当該遊技島前面側から受け入れるようにすることは、単なる設計変更にすぎない。
　次に、相違点（ロ）について検討する。
　甲第４号証刊行物に記載の紙幣、搬送体Ｂ１、Ｂ２及びガイドＧは、本件発明の薄板状体、搬送装置及び案内部にそれぞれ相当するから、甲第４号証刊行物には、送り出しローラＡ１、Ａ２により薄板状体をその薄板面が送り出し方向に沿う一定姿勢で送り出すとともに、前記送り出される薄板状体をその薄板面が搬送方向に沿う一定姿勢に規制して合流搬送する搬送装置と、前記送り出される薄板状体を屈曲させて、当該薄板状体の移動方向を前記搬送装置の搬送路に沿う方向に変更する案内部が記載されているといえる。
　したがって、甲第２号証刊行物に記載の識別した紙幣をパチンコ機１の背面側に送り出し方向に沿った姿勢で送り出す手段として、甲第４号証刊行物に記載の薄板状体をその薄板面が送り出し方向に沿う一定姿勢で送り出す手段を採用すること、及び、甲第２号証刊行物に記載の賞ボール貸機の各々から送り出される紙幣をパチンコ機列に沿って合流搬送する搬送装置として、甲第４号証刊行物に記載の送り出される薄板状体をその薄板面が搬送方向に沿う一定姿勢に規制して合流搬送する搬送装置を採用すること、並びに、甲第２号証刊行物に記載のパチンコ機の背面側に送り出される紙幣をパチンコ機列の背面側に設けられている搬送装置に合流搬送させるために紙幣を方向変更する手段として、甲第４号証刊行物に記載の送り出される薄板状体を屈曲させて、当該薄板状体の移動方向を搬送装置の搬送路に沿う方向に変更する案内部を採用することは、甲第４号証刊行物に記載の技術思想を甲第２号証刊行物に記載の発明に転用することにより、当業者が容易に成し得たことである。
　以上のことから、本件特許に係わる発明は、甲第２〜４号証に記載されたものに基づいて当業者が容易に発明をすることができたものと認められ、特許法第２９条第２号の規定により特許を受けることができないものであるから、本件特許は特許法第１２３条第１項第２号の規定により無効とすべきである。
５．むすび
　以上のとおり、本件特許に係わる発明は、甲第２〜４号証に記載されたものに基づいて当業者が容易に発明をすることができたものと認められ、特許法第２９条第２号の規定により特許を受けることができないものであるから、本件特許は特許法第１２３条第１項第２号の規定により無効とすべきである。
　また、審判に関する費用については、特許法第１６９条第２項において準用する民事訴訟法第８９条の規定を適用する。
　よって、結論のとおり審決する。